(57)【要約】      （修正有）【課題】手帳やダイアリー、書籍と一緒に携帯することができ、筆記具を挿脱し易い筆記具ケースを提供する。【解決手段】ケース本体に、上面部と、背面部２Ｂと、上面部と背面部を接続する底面部２Ｃと、前記上面部、背面部、底面部に接続され、内部に設けた収容空間を開放及び閉鎖する開閉手段が設けられた側面部２Ｄと、前記底面部と側面部に接続する前面部２Ｅと後面部２Ｆとを具備した筆記具ケースにおいて、前記ケース本体の背面部に、前記ケース本体の前面部側及び後面部側を開口した挟持片を一体又は別体に設け、前記挟持片とケース本体間に、ブックバンド６を着脱自在に挿着してなり、前記ケース本体の上面部に、前記ケース本体の前面部側を開口した第二挟持片を備える。【選択図】図４
2017113065.tif 000002
【特許請求の範囲】
【請求項１】
ケース本体に、上面部と、背面部と、上面部と背面部を接続する底面部と、前記上面部、背面部、底面部に接続され、内部に設けた収容空間を開放及び閉鎖する開閉手段が設けられた側面部と、前記底面部と側面部に接続する前面部と後面部とを具備した筆記具ケースにおいて、前記ケース本体の背面部に、前記ケース本体の前面部側及び後面部側を開口した挟持片を一体又は別体に設け、前記挟持片とケース本体間に、ブックバンドを着脱自在に挿着してなり、前記ケース本体の上面部に、前記ケース本体の前面部側を開口した第二挟持片を備えることを特徴とする筆記具ケース。
【請求項２】
前記側面部に設けた開閉手段が、前記底面部と側面部を接続する前面部に連設され、前記第二挟持片の一端と他端を接続する前面部と、前記ケース本体の前面部との距離が、前記第二挟持片の一端と他端を接続する後面部と、前記ケース本体の後面部との距離よりも長いことを特徴とする請求項１に記載の筆記具ケース。
【請求項３】
前記挟持片が、前記ケース本体の背面部に、幅方向の一端を前記ケース本体に固着し、他端をケース本体に対し、着脱自在に装着してあることを特徴とする請求項１または２に記載の筆記具ケース。
【請求項４】
前記ケース本体の前面部側の端面から後方に向かって幅狭となる切り欠き部と、前記ケース本体の後端面側の端面から前方に向かって幅狭となる切り欠き部を有することを特徴とする請求項１ないし３の何れか１項に記載の筆記具ケース。
【発明の詳細な説明】
【技術分野】
【０００１】
本発明は、筆記具ケースに関し、さらに詳しくは、ケース本体に、上面部と、底面部と、上面部と底面部を接続する背面部と、前記上面部、背面部、底面部に接続され、内部に設けた収容空間を開放及び閉鎖する開閉手段が設けられた側面部と、前記底面部と側面部を接続する前面部と後面部とを具備した筆記具ケースに関する。
【背景技術】
【０００２】
従来から、筆記用具を手帳やダイアリー、書籍と一緒に携帯することができれば便利であるため、手帳やダイアリー、書籍と一緒に持ち運ぶ際の利便性を向上させた筆記具ケースが広く普及している。こうした従来の筆記具ケースの構造として、登録実用新案第３１５０５８３号公報「手帳用収納具」に開示かれるように、外カバーの側端部側にベルトを設け、手帳などに脱着式にした構造が開示されている。
【０００３】
また、実開昭５４−８５１８５号「ブックバンド」や実開昭５６−１１１８２６号「ゴムバンド付筆入れ」にも、筆記具ケースの一面にゴムバンドやベルト等の保持具を取り付け、当該保持具を手帳やダイアリー、書籍に着脱自在に巻着することで、筆記具ケースを一緒に携帯可能とした筆記具ケースが開示されている。
【先行技術文献】
【特許文献】
【０００４】
【特許文献１】「登録実用新案第３１５０５８３号公報」
【特許文献２】「実開昭５４−８５１８５号公報」
【特許文献３】「実開昭５６−１１１８２６号公報」
【発明の概要】
【発明が解決しようとする課題】
【０００５】
しかし、前記した特許文献１から３の筆記具ケースは、一緒に携帯することは可能であるが、筆記具を使用するには、筆記具ケースに備えたファスナー等を作動させ、筆記具ケースの内部に筆記具を出し入れする開口部を開口させる必要があった。そのため、利便性において、満足いくものではなかった。
【０００６】
また、前記した問題を鑑みて、特開２０００−３３５１７９号公報「バインダー、手帳その他各種の文具の外カバーにペンホルダーを形成する方法及びその方法によりペンホルダーを形成したバインダー、手帳その他各種の外カバーを有する文具」のように、筆記具ケースの外面に、筆記具を保持する筒部を設けることが考えられるが、カバン等に入れて携行する際に、筆記具の大部分が露出されるために、筆記具のペン先でカバンの中の他の荷物を傷付けてしまう場合や、逆にカバンの中の他の荷物で筆記具を損傷してしまう虞があった。
【０００７】
本発明は、上述した従来の問題点等に鑑み、手帳やダイアリー、書籍と一緒に携帯することができ、筆記具を挿脱し易い、筆記具ケースを提供することを目的とする。
【課題を解決するための手段】
【０００８】
本発明は、ケース本体に、ケース本体に、上面部と、背面部と、上面部と背面部を接続する底面部と、前記上面部、背面部、底面部に接続され、内部に設けた収容空間を開放及び閉鎖する開閉手段が設けられた側面部と、前記底面部と側面部に接続する前面部と後面部とを具備した筆記具ケースにおいて、前記ケース本体の背面部に、前記ケース本体の前面部側及び後面部側を開口した挟持片を一体又は別体に設け、前記挟持片とケース本体間に、ブックバンドを着脱自在に挿着してなり、前記ケース本体の上面部に、前記ケース本体の前面部側を開口した第二挟持片を備えることを特徴とする。
【０００９】
前記側面部に設けた開閉手段が、前記底面部と側面部を接続する前面部に連設され、前記第二挟持片の前記ケース本体の前面部側の端面と、前記ケース本体の前面部との距離が、前記第二挟持片の前記ケース本体の前面部側の端面と、前記ケース本体の後面部との距離よりも長いことを特徴とする。
【００１０】
前記挟持片が、少なくとも前記ケース本体の背面部側と側面部側のどちらか一方を、前記ケース本体に対し、着脱自在に装着してあることを特徴とする。
【００１１】
前記挟持片が、前記ケース本体の前面部側の端面から後方に向かって幅狭となる切り欠き部と、前記ケース本体の後端面側の端面から前方に向かって幅狭となる切り欠き部を有することを特徴とする。
【００１２】
本願発明の第１の構成によれば、前記ケース本体の背面部に、前記ケース本体の前面部側及び後面部側を開口した挟持片を設け、前記挟持片とケース本体間に、ブックバンドを着脱自在に挿着してなり、前記ケース本体の上面部に、前記ケース本体の前面部側を開口した第二挟持片を備えることにより、前記ケース本体の背面部に設けた挟持片によってブックバンドを保持し、前記ケース本体の上面部に設けた第二挟持片によって筆記具を保持することができるため、手帳やダイアリー、書籍と一緒に携帯することができる。また、第二挟持片は、開閉手段を作動することなく、筆記具を挿脱することができる効果を奏する。
【００１３】
尚、本発明のケース本体には、ポリウレタン等の樹脂材、繊維材、布材、紙材などを使用することができる。さらに、高級な感じにするため、天然革や合成革、布地等も用いることができる。また、ケース本体の長手方向の長さは、筆記具の挿入性と、携帯性を鑑みて、１５ｃｍ〜２５ｃｍが好ましく、１８ｃｍ〜２３ｃｍとすることがより好ましい。これは、一般的な筆記具の全長は、１２ｃｍ〜１４ｃｍ程度であって、ノック式筆記具の場合には、さらにペン先が突出した状態を鑑みて長くすることが好ましいためである。
【００１４】
また、前記した開閉手段は、ファスナー式（線ファスナー、面ファスナー）、ボタン式、粘着式など、開閉自在であれば、特に限定されるものではないが、開閉の容易性、内容物の保持性を鑑みてファスナー式とすることが好ましい。
【００１５】
本願発明の第２の構成によれば、前記側面部に設けた開閉手段が、前記底面部と側面部を接続する前面部に連設され、前記第二挟持片の一端と他端を接続する前面部と、前記ケース本体の前面部との距離が、前記第二挟持片の一端と他端を接続する後面部と、前記ケース本体の後面部との距離よりも長くすることにより、筆記具を第二挟持片に挟持したとき、筆記具が邪魔になり難く、前記前面部に設けた開口手段を操作しやすくすることができる効果を奏する。
【００１６】
さらにまた、前記ケース本体の前面部との長手方向の距離は、第二挟持片に筆記具のクリップを係止して筆記具を保持した状態で、筆記具の後端が、前記ケース本体から露出しない、或いは少なくすることが好ましく、一般的な筆記具のクリップの基部の先端面から筆記具の後端までの長さは、１．５ｃｍ〜２．０ｃｍであることを考慮して、２．０ｃｍ〜５．０ｃｍが好ましく、３．０ｃｍ〜５．０ｃｍとすることが最も好ましい。
【００１７】
本願発明の第３の構成によれば、少なくとも前記ケース本体の背面部側と側面部側のどちらか一方を、前記ケース本体に対し、着脱自在に装着することで、装着を外すことにより、前記ブックバンドを容易に取り外して使用することができる。また、ブックバンドを取り外すことで、前記挟持片でも筆記具を保持することが可能となる。尚、挟持片の装着位置は特に限定されないが、ブックバンドを取り外して筆記具を保持することを鑑みると、本願発明の第２の構成と同様の位置、具体的には、挟持片の一端と他端を接続する前面部と、ケース本体の前面部との距離は、挟持片の一端と他端を接続する後面部と、ケース本体の後面部との距離よりも長くすることが好ましい。
【００１８】
本願発明の第４の構成によれば、前記ケース本体の前面部側の端面から後方に向かって幅狭となる切り欠き部と、前記ケース本体の後端面側の端面から前方に向かって幅狭となる切り欠き部を有することにより、ブックバンドを保持するときに、バンドの幅を太くすることなく、ずれにくくなるため、安定して保持することができる。これは、バンドを容易に取り付けるには、挟持片によって得られる幅と、ブックバンドとの幅に差を設けることが好ましいが、ブックバンドを取り付けた後、幅方向に位置ずれを起こしやすい問題があった。本願発明の第４の構成によれば、ブックバンドの幅を太くすることなく、切り欠き部によって、ブックバンドの位置ずれを抑制するため、安定して保持することができるためである。また、筆記具を保持する場合には、開口端側の幅太部によって筆記具を挿通し易く、幅狭部によって筆記具の回転を効果的に防止することができる効果を奏する。
尚、幅狭部は開口端から直線的に設けてもよいが、開口端から徐々と幅狭となる形状、段状に設ける形状など、特に限定されないが、筆記具を保持する場合には、太さの異なるクリップ基部に対応し易くすることができるので、段状に設けることが好ましい。
【発明の効果】
【００１９】
本発明の筆記具ケースは、手帳やダイアリー、書籍と一緒に携帯することができ、筆記具を挿脱し易く、且つ、筆記具の損傷も防止するとともに、カバン等に入れて携行する場合においても、カバンの中の他の荷物を筆記具のペン先で傷付けてしまうこと及びカバンの中の他の荷物で筆記具が損傷することを防ぎことができる筆記具ケースを提供することができた。
【図面の簡単な説明】
【００２０】
【図１】本実施例の筆記具ケースにおいて、正面部側から見た外観図である。
【図２】背面部側から見た外観図である。
【図３】図２における挟持片の他端を取り外した状態を示した外観図である。
【図４】ブックバンドを取り付けた状態を示した外観図である。
【図５】図４におけるＡ−Ａ矢視断面図である。
【図６】第二挟持片に筆記具を挿着した状態を示す外観図である。
【発明を実施するための形態】
【００２１】
次に図面を参照しながら実施例の説明を行う。図中の同じ部材、同じ部品については、同じ符号としてある。本発明は以下の実施例に限定されるものではない。尚、筆記具ケースの説明において、背面部を机上に置いた状態で、その反対側を上面部とし、底面部を左側、側面部を右側としたとき、上方側を前端、下方側を後端と表現し、左右方向を幅方向、上限方向を長手方向と表現する。
【００２２】
図１〜図６に示す本発明の実施例１に係る筆記具ケース１は、袋状の収容部と外皮とを縫い込んだケース本体２の上面部２Ａと、背面部２Ｂと、上面部２Ａと背面部２Ｂを接続する底面部２Ｃと、前記上面部２Ａ、背面部２Ｂ、底面部２Ｃに接続され、内部に設けた収容空間を開放及び閉鎖する開閉手段が設けられた側面部２Ｄと、底面部２Ｃと側面部２Ｄを接続する前面部２Ｅと後面部２Ｆとを備え、前記側面部２Ｄにはファスナー５からなる開閉手段が設けられ、この開閉手段は、前記底面部２Ｃと側面部２Ｄを接続する前面部２Ｅにも連設され、ファスナー５を開状態とした場合に、大きく開くことができるものである。
【００２３】
また、筆記具ケース１は、全長が２５ｃｍ、幅が８ｃｍであり、前記ケース本体２の背面部２Ｂには、挟持片３を設けてある。また、上面部２Ａには、第二挟持片４を設けてある。
【００２４】
挟持片３は、底面部２Ｃ側を縫い込まれて固着してあり、図３に示すように、側面部２Ｄ側は、ケース本体に取り付けた被係止部２Ｇに、挟持片３に設けた係止部３Ａを着脱自在に装着してあり、前記ケース本体２の前面部２Ｅ側及び後面部２Ｆ側を開口してある。また、挟持片３には、ケース本体２の前面部２Ｅ側の開口端３Ｂから後方に向かって、前記開口端３Ｂの幅よりも幅狭となる切り欠き部３Ｃと、ケース本体２の後面部２Ｆ側の開口端３Ｄから前方に向かって、前記開口端３Ｄの幅よりも幅狭となる切り欠き部３Ｅとを設けてある。
【００２５】
挟持片３には、ゴム弾性を有するブックバンド６が挿着されている。ブックバンド６は、一体のリング状（連続形状）を成しており、手帳やダイアリー、書籍（図示せず）に着脱自在に巻着することで、手帳やダイアリー、書籍（図示せず）と筆記具ケース１を一緒に携帯することができる。
【００２６】
ファスナー５は、幅８ｍｍ程度で、スライドファスナー（線ファスナー）であり、底面部２Ｃと側面部２Ｄを接続する前面部２Ｅの底面部側の端部から、側面部２Ｄの後面部２Ｆの端部まで設けられている。ファスナー５には、引き手５Ａが取り付けられており、引き手５Ａをスライドさせることで開閉を行う。
【００２７】
第二挟持片４は、幅方向の一方は、側面部２Ｄ側を縫い込まれて固着し、他方は、側面部２Ｄを折り返し、背面部２Ｂの底面部２Ｃ側を縫い込まれ、後面部２Ｆ側を縫い込まれて、前記ケース本体２の前面部２Ｅを開口して固着してある。尚、本実施例では、挟持片３と第二挟持片４とは、一体に形成されており、背面部の底面部２Ｃ側の縫い込みによって区画されて設けてある。
【００２８】
また、第二挟持片４は、ケース本体２の前面部２Ｅ側の端面４Ａと、前記ケース本体２の前面部２Ｅとの距離Ｌ（３５ｍｍ）が、前記ケース本体２の後面部２Ｆ側の端面４Ｂと、前記ケース本体２の後面部２Ｆとの距離Ｍ（５ｍｍ）よりも長くしてある。
【００２９】
具体的には、第二挟持片４に、筆記具１０を挿通する場合、図６に示すように、筆記具１０が、軸筒１１の後端部にクリップ１２を配設した筆記具であって、第二挟持片４にクリップ１２を係止した保持してある。
【００３０】
尚、本実施例では、挟持片３と第二挟持片４とは、一体の材料に形成されており、背面部２Ｂの底面部２Ｃ側の縫い込みによって区画されて設けてあるが、一体、別体など特に限定されるものではないが、生産性を鑑みて一体で設けることが好ましい。
【００３１】
また、挟持片３は、ブックバンドを取り外すことで、図示はしてないが、筆記具を保持することができる。この場合、切り欠き部によって、筆記具の位置ずれを抑制できる効果を奏することになる。尚、本実施例では、便宜上、切り欠き部を挟持片の前面部側にのみ形成してあるが、表示片の両端や第二挟持片に設けることもできる。
【００３２】
更に、挟持片は、本実施例では、一端を固着し、他端を着脱自在に装着する構造としてあるが、両端を着脱自在に装着する構造であってもよい。また、第二挟持片は、本実施例では、両端及び後面部側を縫い込んでいるが、挟持片と同様に、一端を固着し、他端を着脱自在に装着する構造であってもよいし、前面部側だけでなく、後面部側を開口することで、ブックバンドを挿通して保持することができる。また、ブックバンドの形状も、旋回する構造であれば、固着、或いはバンド自体の両端を着脱自在に装着する構造であってもよい。
【００３３】
更にまた、装着する筆記具は、特に限定されるものではないが、筆記具が、軸筒の後端部にクリップを配設した筆記具であって、挟持片にクリップを係止した状態で、前記筆記体の前端が、前記ケース本体の前面部よりも内側に位置され、前記筆記体の後端が、前記ケース本体の後端部よりも内側に位置することで、ペン先部の損傷及び筆記具のペン先でカバンの中の他の荷物を傷付けてしまうこと、逆にカバンの中の他の荷物で筆記具を損傷してしまうことを防止する効果を奏するので好ましい。
【００３４】
また、筆記体の後端が、前記ケース本体の後端部よりも内側に位置するため、例えば、軸筒後端部のノック体を押圧してペン先部を出没するノック式筆記具の場合には、誤ってノック体を押圧することを抑制し、図のように、軸筒後端部に変色又は消色する付設具を具備してなるノック式筆記具の場合には、付設具の汚れや損傷を抑制するため、前記効果は顕著である。
【産業上の利用可能性】
【００３５】
本発明は、筆記具ケースとして、広く利用可能であり、特に筆記用具を手帳やダイアリー、書籍と一緒に携帯する筆記具ケースに好適である。
【符号の説明】
【００３６】
１…筆記具ケース、
２…ケース本体、２Ａ…正面部、２Ｂ
…背面部、２Ｃ…底面部、２Ｄ…側面部、２Ｅ
…前面部、２Ｆ…後面部、２Ｇ…係止部、
３…挟持片、３Ａ…係止部、３Ｂ
…前面部側の開口端、３Ｃ…切り欠き部、３Ｄ
…後面部側の開口端、３Ｅ…切り欠き部、
４…第二挟持片、４Ａ…前端部側の端面、４Ｂ
…背面部側の端面、４Ｃ…底面部、４Ｄ…側面部、４Ｅ
…前面部、４Ｆ…後面部、
５…ファスナー、５Ａ…引き手、
６…ブックバンド、
１０…筆記具、
１１…軸筒、
１２…クリップ、
Ｎ…縫い込み部。
【図１】
2017113065.tif 000003
【図２】
2017113065.tif 000004
【図３】
2017113065.tif 000005
【図４】
2017113065.tif 000006
【図５】
2017113065.tif 000007
【図６】
2017113065.tif 000008